(57)【要約】      （修正有）【課題】調湿剤等を収納する収納ケースで基台ユニットの補強も兼ねることによって、基台ユニットの構成の簡素化と軽量化を達成した展示ケースを提供する。【解決手段】展示ケースは、床面Fに設置され、上面部に展示物を載置するための展示床22を有する基台ユニット20と、展示床22の上方に形成される展示空間S1を包囲する透光性材料からなる側板51、および側板51の上端開口を覆う天板を有するケース体50とを具え、基台ユニット20の内部に、展示空間S1の雰囲気を調整するための雰囲気調整要素30および副次的に熱を発生する電気機器28の少なくとも一方を個別に収納するための収納スペースが、金属材部材からなる、収納ケース29,31によって区画形成され、収納ケース29,31は、収納スペースと、展示空間S1内、または展示ケース10外の外部環境との通気が可能な通気手段を具えることを特徴とする。【選択図】図６
2015229049.tif 000002
【特許請求の範囲】
【請求項１】
床面に設置され、上面部に展示物を載置するための展示床を有する基台ユニットと、
前記展示床の上方に形成される展示空間を包囲する透光性材料からなる側板、および該側板の上端開口を覆う天板を有するケース体と、
を具え、
前記基台ユニットの内部に、前記展示空間の雰囲気を調整するための雰囲気調整要素および副次的に熱を発生する電気機器の少なくとも一方を個別に収納するための収納スペースをもつ展示ケースにおいて、
前記収納スペースが、金属部材からなる、前記基台ユニットを補強する収納ケースによって区画形成され、
前記収納ケースは、前記収納スペースと、前記展示空間内、または前記展示ケース外の外部環境との通気が可能な通気手段を具えることを特徴とする展示ケース。
【請求項２】
前記雰囲気調整要素は調湿剤であることを特徴とする、請求項１に記載の展示ケース。
【請求項３】
前記電気機器は電源装置であることを特徴とする、請求項１または２に記載の展示ケース。
【請求項４】
前記基台ユニットは、上下向かい合って平行に配置された1対の四方枠を有し、前記収
納ケースが、前記1対の四方枠間に位置しかつ前記1対の四方枠同士を固定連結することを特徴とする、請求項１から３までのいずれか１項に記載の展示ケース。
【請求項５】
前記収納ケースを少なくとも２つ有し、
前記収納ケースのうち、少なくとも１つの収納ケースである第１収納ケースは、前記通気手段が前記ケース体の前記展示空間と通気可能であるように前記基台ユニットに配置され、
前記収納ケースのうち、他の少なくとも１つの収納ケースである第２収納ケースは、前記通気手段が前記展示ケース外の外部環境と通気可能であるように前記基台ユニットに配置され、
前記第１および第２収納ケースのうちの少なくとも１つが、前記基台ユニットに固定連結されることを特徴とする、請求項１から４までのいずれか１項に記載の展示ケース。
【請求項６】
前記第１および第２収納ケース同士が、互いに固定連結されていることを特徴とする、請求項５に記載の展示ケース。
【発明の詳細な説明】
【技術分野】
【０００１】
本発明は、例えば美術館や博物館等で使用される展示ケースに関する。
【背景技術】
【０００２】
美術館や博物館等で使用される従来の展示ケースとしては、例えば本出願人が提案した特許文献１に、床面に設置された展示台を有し、該展示台の上方に形成された展示空間の周囲が透明な側面パネルにより囲まれ、かつ該側面パネルで囲まれた展示空間の上方が天井パネルにより覆われ、前記展示台と前記側面パネルと前記天井パネルとでケース本体が構成される展示ケースが記載されている。このような展示ケースにおける展示台は、前記展示空間と通気されて該展示空間の湿度を調節する調湿手段を収納する第１収納部と、前記ケース本体外の外部空間と通気されて電気機器を収納する第２収納部とを有している。
【０００３】
引用文献１に記載された展示台は、第１収納部と第２収納部とが形成される、平面視で略矩形状をなす矩形枠部からなる基台を有しているが、電気機器の発熱により展示空間が熱くなり展示品を傷め、調湿剤（調湿手段）が発する湿気により電気機器が故障する虞があるばかりか、電気機器の発熱により調湿剤の蒸発が促進されてしまい、展示空間を適度な湿度に保つことができなくなることを回避するために、第１収納部および第２収納部を区画形成するに際し、基台に、矩形枠部内の空間を水平方向に仕切る、鉄骨フレームからなる仕切部材が設けられている構成としていた。
【０００４】
このような展示ケースの場合、矩形枠部内に連結する仕切部材を設けることは、展示ケースが段差等を越えて移動する際に生じることがある矩形枠部のねじれに対する基台の補強という観点からは有効である。しかし、仕切部材によって仕切られた収納部に、調湿剤や電気機器を収納するためには、例えば、調湿剤が収納される第１収納部においては、上面側を展示空間と通気可能であるように開放する一方で、調湿された空気が第１収容部の下方側に逃げないように下面側を閉塞する板状の床部材が必要となり、また、電気機器が収納される第２収納部においては、下面側に、外部環境への電気機器の排熱を可能にするように下方開口部を形成する一方で、上面側には、展示空間との通気を遮断するために蓋部材を設ける必要があった。このため、特許文献1に記載の展示ケースは、基台において
、各収納部を形成するために、仕切部材に加えてさらに床部材および蓋部材を個別に用意する必要がある結果、部品点数の増大に伴う基台構成の複雑化をもたらすとともに、展示ケース全体としての重量の増加にも繋がることから、基台の補強と、基台内部への調湿剤や電気機器の収納との観点から、更なる改善の余地があった。
【先行技術文献】
【特許文献】
【０００５】
【特許文献１】特開２０１２−１７０６３７号公報
【発明の概要】
【発明が解決しようとする課題】
【０００６】
本発明の目的は、調湿剤のような雰囲気調整要素、および電源装置のような電気機器の少なくとも一方を個別に収納するための収納スペースを、金属部材からなる収納ケースによって区画形成することで、収納ケースが、雰囲気調整要素および電気機器の収納機能に加えて、基台ユニットの補強機能を兼ね具えることによって、部品点数を減らして基台ユニットの構成を簡素化するとともに軽量化を達成した展示ケースを提供することである。
【課題を解決するための手段】
【０００７】
上記目的を達成するため、本発明の要旨構成は以下の通りである。
【０００８】
（１）床面に設置され、上面部に展示物を載置するための展示床を有する基台ユニットと、前記展示床の上方に形成される展示空間を包囲する透光性材料からなる側板、および該側板の上端開口を覆う天板を有するケース体とを具え、前記基台ユニットの内部に、前記展示空間の雰囲気を調整するための雰囲気調整要素および副次的に熱を発生する電気機器の少なくとも一方を個別に収納するための収納スペースをもつ展示ケースにおいて、前記収納スペースが、金属部材からなる、前記基台ユニットを補強する収納ケースによって区画形成され、前記収納ケースは、前記収納スペースと、前記展示空間内、または前記展示ケース外の外部環境との通気が可能な通気手段を具えることを特徴とする展示ケース。
【０００９】
（２）前記雰囲気調整要素は調湿剤であることを特徴とする、上記（１）に記載の展示ケース。
【００１０】
（３）前記電気機器は電源装置であることを特徴とする、上記（１）または（２）に記載の展示ケース。
【００１１】
（４）前記基台ユニットは、上下向かい合って平行に配置された1対の四方枠を有し、前
記収納ケースが、前記1対の四方枠間に位置しかつ前記1対の四方枠同士を固定連結することを特徴とする、上記（１）から（３）までのいずれか１つに記載の展示ケース。
【００１２】
（５）前記収納ケースを少なくとも２つ有し、前記収納ケースのうち、少なくとも１つの収納ケースである第１収納ケースは、前記通気手段が前記ケース体の前記展示空間と通気可能であるように前記基台ユニットに配置され、前記収納ケースのうち、他の少なくとも１つの収納ケースである第２収納ケースは、前記通気手段が前記展示ケース外の外部環境と通気可能であるように前記基台ユニットに配置され、前記第１および第２収納ケースのうちの少なくとも１つが、前記基台ユニットに固定連結されることを特徴とする、上記（１）から（４）までのいずれか１つに記載の展示ケース。
【００１３】
（６）前記第１および第２収納ケース同士が、互いに固定連結されていることを特徴とする、上記（５）に記載の展示ケース。
【発明の効果】
【００１４】
本発明によれば、収納スペースが、金属部材からなる、基台ユニットを補強する収納ケースによって区画形成され、収納ケースは、収納スペースと、展示空間内または展示ケース外の外部環境との通気が可能な通気手段を具えることによって、収納ケースに補強機能も具備させた結果、基台ユニットの構成の簡素化と軽量化を達成した展示ケースを提供することができる。
【図面の簡単な説明】
【００１５】
【図１】図１は、本発明に従う展示ケース１０の要部構成を示す概略斜視図であって、ケース体が降下位置Ｐ１にあるときの状態を示す。
【図２】図２は、図１に示す展示ケースにおいて、ケース体が上昇位置Ｐ２にあるときの状態で示す概略斜視図である。
【図３】図３（ａ）は、収納ケースの一実施態様を示す斜視図であり、図３（ｂ）は、図３（ａ）に示す収納ケースの展開図である。
【図４】図４（ａ）〜（ｅ）は、それぞれ異なる実施態様に従う収納ケースの斜視図である。
【図５】図５は、図２に示す状態にある展示ケースを構成する基台ユニットの拡大斜視図であって、調湿剤や電源装置の配置状態が分かるように示す。
【図６】図６は、図１に示す展示ケースを、昇降機構と照明ユニットの延在方向を含む平面で切断したときの断面図である。
【発明を実施するための形態】
【００１６】
次に、本発明の実施形態について図面を参照しながら以下で説明する。
【００１７】
図１および図２は、本発明に従う代表的な展示ケース１０の要部構成を示す概略斜視図であって、図１が、展示空間Ｓ１を閉鎖したときの展示状態（展示品は図示せず）、図２が、展示空間を開放した展示品の搬出入可能状態を示したものであり、図３の（ａ）は、図１および図２に示す基台ユニット内に取り付けられている収納ケースの一実施態様を示したものであり、図３の（ｂ）は、図３の（ａ）に示す収納ケースを展開したときの平面形状を示したものであり、図４の（ａ）〜（ｅ）は、他の収納ケースの種々の実施態様を示したものであり、図５は、図２に示す状態にある展示ケースを構成する基台ユニットを拡大したものであって、展示床の一部分を切り取るとともに、調湿剤収納ケースの蓋を開放し、電源収納ケースから電源装置を引き出した状態で示したものであり、そして、図６は、図１に示す展示ケースを、昇降機構と照明ユニットの延在方向を含む平面で切断して示したものである。
【００１８】
図１および図２に示す展示ケース１０は、基台ユニット２０とケース体５０とで主に構成され、例えば美術館や博物館等に設置され、鑑賞者は、展示ケース内１０に配置された展示品（図示せず）を、展示ケース１０の側板５１および天板５２のうち、少なくとも側板５１を通じて視認（鑑賞）することができる。
【００１９】
図示の基台ユニット２０は、床面Ｆに設置され、上面部２１の上に展示品（図示せず）を陳列するための展示床２２を有している。また、図示の基台ユニット２０は、床面Ｆ側に位置し下面部２３を構成する平面視で矩形状の下側四方枠２４と、展示床２２側に位置し上面部２１を構成する平面視で矩形状の上側四方枠２５と、これらの四方枠２４、２５の４つの角部間をそれぞれ垂直方向に互いに連結する４つの垂直連結部２６とで構成するとともに、基台ユニット２０の４つの側面部は開閉可能な外装パネル２７で覆われている。外装パネル２７を開放旋回させることにより、基台ユニット２０内部への外部からのアクセスが可能になる。
【００２０】
各四方枠２４、２５や垂直連結部２６の材質は、例えば、鋼材やアルミニウム合金材等の高強度材を用いることが好ましい。また、基台ユニット２０は、その内部に、副次的に熱を発生する電気機器、特に電源装置２８、例えば昇降機構６０や照明ユニット８０のそれぞれに電力を供給するための２台の電源装置２８Ａ、２８Ｂと、ケース体５０と基台ユニット２０が合体したときに形成される展示空間Ｓ１内の空調を整えるための雰囲気調整要素、例えば湿度を調整するための調湿剤３０のうち、少なくとも一方を個別に収納するための収納スペースを有している。なお、電気機器への電力の供給は、基台ユニット２０の内部に電源装置２８を設けることなく、コンセントから直接行なうことも可能である。
【００２１】
基台ユニット２０の下面の４つの隅部には、図６に示すように、キャスタ３４と高さ調整用アジャスタ３５が取り付けられており、この構成により、展示ケース１０を、床面Ｆの所定の位置にキャスタ３４で移動させた後、高さ調整用アジャスタ３５を調整することによって設置することができる。
【００２２】
ケース体５０は、基台ユニット２０との合体時に、展示床２２の上方に形成される展示空間Ｓ１を包囲し、例えば透明なアクリル板や高透過率ガラス板のような透光性材料からなる側板５１と、側板５１の上端開口を覆う天板５２とで主に構成され、基台ユニット２０に対し離隔可能に構成されている。側板５１は、図１および図２の実施形態では、４枚
の平板ガラスを、接着剤等の接合剤や溶着等による接合方法によって、平面視で矩形状に一体的に形成した場合を示しているが、平面視で円形状や他の多角形状など、展示の態様によって種々の形状に形成することができる。なお、天板５２は、鑑賞者が展示ケース１０の上方からも展示物を視認（鑑賞）できるようにする場合には、透光性材料で構成することが好ましいが、側板５１から展示物が視認できる構成でよければ、非透光性材料で構成してもよく、必要に応じて材質を変更することができる。また、天板５２は、その中央位置に照明ユニット８０を配設する場合、２枚のガラス板を、図２に示すように照明ユニットの両側に配置することが好ましいが、１枚のガラス板に開口を設け、この開口に照明ユニットを嵌め込んで一体化してもよい。
【００２３】
そして、本発明の構成上の主な特徴は、基台ユニットの内部に配設する、雰囲気調整要素および電気機器の少なくとも一方を個別に収納するための収納スペース３２を、金属材料からなる部材を用いて形成することで、収納ケース３２に補強機能も持たせることにあり、より具体的には、前記収納スペースが、金属部材からなる、基台ユニット２０を補強する収納ケース２９、３１によって区画形成され、収納ケース２９、３１が、収納スペースと、展示空間Ｓ１内または展示ケース１０外の外部環境との通気が可能な通気手段を具えることにあり、この構成を採用することによって、雰囲気調整要素（例えば調湿剤３０）および電気機器（例えば電源装置２８）の収納と、基台ユニット２０の補強の双方を満足させることができ、この結果、基台ユニット１０の構成の簡素化と軽量化を達成することができる。
【００２４】
図２に示す展示ケース１０は、上下向かい合って平行に配置された1対の四方枠である
、下側四方枠２４と上側四方枠２５を有し、下側四方枠２４と上側四方枠２５との間に少なくとも一の収納ケース２９、３１が配置され、前記収納ケース２９、３１は、1対の四
方枠２４、２５同士を固定連結して一体に形成されている。収納ケース３２は、電気機器に電力を供給するための電源装置２８、例えば図２および図５では、昇降機構６０や照明ユニット８０のそれぞれに電力を供給するための２台の電源装置２８Ａ、２８Ｂを収納するための電源収納ケース２９や、ケース体５０と基台ユニット２０が合体したときに形成される展示空間Ｓ１内の空調を整えるための雰囲気調整要素、例えば図６では、湿度を調整するための調湿剤３０を収納するため調湿剤収納ケース３１である。収納ケース２９、３１を、基台ユニット２０を構成する下側四方枠２４および上側四方枠２５のそれぞれ相対する平行に延びる枠の間で橋架させて、下側四方枠２４と上側四方枠２５とに溶接等により一体化させることにより、基台ユニット２０を補強することができる。図５に示した実施形態においては、収納ケース２９、３１は、展示ケース１０の長手方向に延びる、各四方枠２４、２５の各々の枠間に橋架されているが、収納ケース２９、３１の橋架の形式は、展示ケース１０の長手方向に対して横方向に延びる各四方枠２４、２５の各々の枠間に橋架することもできる。
【００２５】
図１および図２に示した昇降機構６０は、ケース体５０を、基台ユニット２０に対し、合体させるときの降下位置Ｐ１と、離隔したときの上昇位置Ｐ２との間で昇降移動可能にするために設けられたものであり、ケース体５０が降下位置Ｐ１（図１の状態）にある場合には、展示床２２上に陳列した展示物を、鑑賞者が展示ケース１０の外側から展示物を鑑賞することができ、また、ケース体５０が上昇位置Ｐ２（図２の状態）にある場合には、展示床２２上に展示物を搬入して陳列し、あるいは展示床２２上に陳列していた展示物を展示ケース１０から外部に搬出することができる。
【００２６】
また、図１および図２に示した照明ユニット８０は、光源として、例えばＬＥＤ、蛍光灯、有機ＥＬ等を用いる場合が挙げられるが、特に、複数のＬＥＤ照明８１を配列して点発光させるように構成するか、あるいはＬＥＤ照明８１から照射された光を導光板に入射し、導光板を通じて面発光させるように構成することが好ましい。なお、導光板の例とし
ては、例えばアクリル樹脂等の材質からなり、上面の全面にわたって微細な凹凸加工を形成するとともに、下面に光を拡散させるための光拡散シートを形成したものが挙げられる。また、天板５２は、その中央位置に照明ユニット８０を配設する場合、２枚のガラス板を、図３に示すように照明ユニットの両側に配置することが好ましいが、１枚のガラス板に開口を設け、この開口に照明ユニットを嵌め込んで一体化してもよい。
【００２７】
図３（ａ）に、基台ユニット２０に取り付けられる前の収納ケース３２の一実施態様を示す。まず、鋼材やアルミニウム合金材等からなる金属板を、図３（ｂ）で示した形状に、例えばプレス加工またはレーザ加工等によって加工し、次いで、この加工した金属板３３を、図３（ａ）に示す箱状の形状に折り曲げ加工した後に、互いに隣接する側壁同士を溶接することによって方形の断面輪郭を有する中空の収納ケース３２を作製したものである。金属板３３の板厚は、例えば０．８ｍｍ〜３．２ｍｍ、特に好ましくは１．６ｍｍである。作製した収納ケース３２の各側壁の自由端にはそれぞれ、細長い折曲げ部４１が設けられており、折曲げ部４１は、通気手段となる開口部４０を画成するように折り曲げ加工されている。
【００２８】
作製した収納ケース３２は、電源収納ケース２９としても使用することができ、また、調湿剤収納ケース３１としても使用することができる。すなわち、この収納ケース３２は、上面に開口部４０が位置する向きになるように配設すれば、調湿剤３０による調湿作用が展示空間Ｓ１のみと連通する調湿剤収納ケース３１として用いることができ、また、下面に開口部４０が位置する向きになるように配設すれば、電源装置２８等の電気機器から副次的に発生する熱を、展示ケース１０外の外部環境に逃がすことができる電源収納ケース２９として用いることができる。収納ケース３２の長手方向における一方の端面には、調湿剤３０または電源装置２８を収納スペース内に挿入するかまたは収納スペースから取り出すための出入口４２が設けられている。図３（ａ）に示した実施例において出入口４２は、矩形の孔として形成されている。この矩形の孔は、例えば抜き加工またはレーザ加工により形成することができる。
【００２９】
図３（ｂ）には、図３（ａ）に示した収納ケース３２の折り曲げ加工前の展開図を示す。
【００３０】
収納ケース３２は、以下に説明するように、図３（ａ）に示す収納ケースの実施態様だけではなく、図４（ａ）〜（ｅ）に示す種々の実施態様で形成することもできる。
【００３１】
図４（ａ）に示す収納ケース３２Ａは、その上面および下面のいずれか一方に、通気手段となる複数の丸孔４４を形成した場合、図４（ｂ）に示す収納ケース３２Ｂは、その上面および下面のいずれか一方に、通気手段となる１つの矩形の長孔４５を形成したときの実施態様である。また、図４（ａ）の丸孔４４および図４（ｂ）の長孔４５の形成方法としては、角形鋼管の一面にレーザーを照射して形成してもよい。図４（ａ）および図４（ｂ）に示した収納ケース３２Ａおよび３２Ｂの長手方向の両開口端のいずれか一方に、調湿剤３０または電源装置２８を収納スペース内に挿入または取り出すための出入口４２が設けられている。
【００３２】
図４（ｃ）に示した収納ケース３２Ｃは、その上面および下面のいずれか一方に開口するＵ字形の断面を有する場合の実施態様であり、図４（ｄ）に示した収納ケース３２Ｄは、図４（ｃ）に示した収納ケース３２Ｃの２つを用い、互いにＵ字形の断面が上下逆になる向きに並置した状態で一体的に溶接等により連結してなるものである。また、図４（ｅ）に示した収納ケース３２Ｅは、１枚の金属板を用いて、図４（ｄ）に示す収納ケース３２Ｄと同様の形状に形成した場合である。なお、収納ケース３２の配設は、基台ユニットに収納される電気機器や雰囲気調整要素の配設数や、基台ユニット２０のサイズや形態に
応じて、連結される収納ケース３２Ｃは、３つ以上であってもよい。少なくとも２つの収納ケース２９、３１を有する場合には、少なくとも１つの収納ケースである第１収納ケース、例えば調湿剤収納ケース３１は、通気手段がケース体５０の展示空間Ｓ１と通気可能であるように基台ユニット２０に配置され、また、他の少なくとも１つの収納ケースである第２収納ケース、例えば電源収納ケース２９は、通気手段が展示ケース外の外部環境と通気可能であるように基台ユニットに配置され、第１および第２収納ケース２９、３１のうちの少なくとも１つが、基台ユニット２０に固定連結されることが好ましい。加えて、第１および第２収納ケース２９、３１同士が、互いに固定連結されていてもよい。また、図４（ａ）〜（ｅ）に示す収納ケース３２Ａ〜３２Ｅはいずれも、鋼管もしくは形鋼を用いることができ、また、アルミ押出形材を用いることもできる。
【００３３】
また、図３（ａ）および図４（ａ）〜（ｅ）に示す収納ケース３２、３２Ａ、３２Ｂ、３２Ｃ、３２Ｄ、３２Ｅは、展示ユニット１０の構成や用途等に応じて、自由に選択あるいは組み合わせて基台ユニット２０に取り付けることも可能である。
【００３４】
基台ユニット２０は、２つの収納ケース３２、特に電源装置２８を収納している電源収納ケース２９および調湿剤３０を収納している調湿剤収納ケース３１を有する。収納ケース２９、３１の出入口４２は、基台ユニット２０の外装パネル２７によって閉鎖されていてもよく、また、出入口４２のみを閉鎖するために設けた閉鎖部材４３によって閉鎖されてもよい。例えば、図５では、調湿剤３０を収納している調湿剤収納ケース３１の開口端は、開閉可能な閉鎖部材４３で閉鎖し、また、電源装置２８を収納している電源収納ケース２９の開口端は、電源装置２８の電源スイッチや操作ボタン等が取り付けられている操作パネルをもつ閉鎖蓋付きのトレー３６の閉鎖蓋で閉鎖する構成にした場合を示す。
【００３５】
図５に示した電源収納ケース２９には、２台の電源装置２８Ａ、２８Ｂが収納されている。これらの電源装置２８Ａ、２８Ｂは、トレー３６上に配置されている。このトレー３６は、電源収納ケース２９内に引き出し可能に収納されている。電源収納ケース２９の開口部４０は床面Ｆ側を向くように配設されていて、トレー３６は、図３（ａ）に示した電源収納ケース２９の開口部４０を画成する折曲げ部４１に支持される。トレー３６の形状および構造は、電源装置２８Ａ、２８Ｂと外部環境との間での通気が可能であり、かつ電源装置２８Ａ、２８Ｂで副次的に発生する熱を外部環境に逃がすようになっていればよく、特に限定はしない。また、図３（ａ）で示す折曲げ部４１を有さない図４（ｃ）〜図４（ｅ）に示した収納ケース３２Ｃ〜３２Ｅを電源収納ケース２９として使用する場合、トレー３６は、その長手方向両端部を、それぞれ下側四方枠２４で支持されるように構成すればよい。この場合、トレー３６の幅寸法は、収納ケース３２Ｃ〜３２Ｅの幅寸法よりも小さく構成されていることが、電源装置２８Ａ、２８Ｂの排熱を効果的に行うことができる点で好ましい。
【００３６】
図５に示した調湿剤収納ケース３１には、調湿剤３０が収納されている。調湿剤収納ケース３１の開口部４０は展示床２２側を向くように配設されている。調湿剤収納ケース３１と、展示床２２との間には、調湿剤収納ケース３１の開口部４０とほぼ整合する開口部を有し、調湿剤収納ケース３１で仕切られた空間以外の基台ユニット２０の内部との通気を遮断するための通気遮断板４６が配置されている。
【００３７】
図６において分かるように、展示床２２と、通気遮断板４６との間には両者を離隔するためのスペーサ４７が設けられていて、これにより、開口部４０と展示空間Ｓ１との効果的な通気を可能にすることができる。
【００３８】
図１、図２、図５および図６には、昇降機構６０および照明ユニット８０の少なくとも一方が示されているが、本発明は、昇降機構６０を用いないで展示物を交換することがで
き、かつ照明ユニット８０を用いない展示ケースにも適用可能である。
【産業上の利用可能性】
【００３９】
本発明によれば、収納スペースが、金属部材からなる、基台ユニットを補強する収納ケースによって区画形成され、収納ケースは、収納スペースと、展示空間内または展示ケースの外部空間との通気が可能な通気手段を具えることによって、収納ケースに補強機能も具備させた結果、基台ユニットの構成の簡素化と軽量化を達成した展示ケースを提供することができるようになった。
【符号の説明】
【００４０】
１０  展示ケース
２０  基台ユニット
２１  上面部
２２  展示床
２３  下面部
２４  下側四方枠
２５  上側四方枠
２６  垂直連結部
２７  外装パネル
２８、２８Ａ、２８Ｂ  電源装置
２９  電源収納ケース
３０  調湿剤
３１  調湿剤収納ケース
３２  収納ケース
３２Ａ〜３２Ｅ  収納ケース３２の別の実施形態
３３  金属板
３４  キャスタ
３５  高さ調整用アジャスタ
３６  トレー
４０  開口部
４１  折曲げ部
４２  出入口
４３  閉鎖部材
４４  丸孔
４５  長孔
４６  通気遮断板
４７  スペーサ
５０  ケース体
５１  側板
５２  天板
６０  昇降機構
８０  照明ユニット
Ｐ１  ケース体の降下位置（最下位置）
Ｐ２  ケース体の上昇位置（最上位置）
Ｓ１  展示空間
【図１】
2015229049.tif 000003
【図２】
2015229049.tif 000004
【図３】
2015229049.tif 000005
【図４】
2015229049.tif 000006
【図５】
2015229049.tif 000007
【図６】
2015229049.tif 000008